(57)【特許請求の範囲】
【請求項１】
ガス流通路が内部に形成された筒状のガス栓本体に、閉じ位置と開き位置との間で前記ガス栓本体の軸方向に移動自在なスライド弁と、前記ガス流通路のガス流通方向で前記スライド弁よりも上流側に配置された過流出防止弁と、前記ガス流通方向で前記スライド弁と前記過流出防止弁との間に配置されて、前記閉じ位置と前記開き位置との間での前記スライド弁の移動により前記過流出防止弁をリセットさせるリセット操作を行うリセット手段とが備えられているガス栓であって、
前記リセット操作は、前記過流出防止弁における被操作部を前記ガス流通路の上流側へ押圧する操作であり、
前記リセット手段は、前記ガス流通路の下流側への引張り力又は上流側への押圧力の何れか一方を受けた場合に前記被操作部に当接して前記リセット操作を行う操作姿勢に姿勢変更されるとともに、前記ガス流通路の下流側への引張り力又は上流側への押圧力の何れか他方を受けた場合に前記被操作部から離間して前記リセット操作を解除する操作解除姿勢に姿勢変更される状態で、前記ガス流通路に収容された帯状部材と、
前記帯状部材と接続されると共に、前記スライド弁の前記閉じ位置と前記開き位置との間の移動により前記引張り力及び前記押圧力を付与自在な押圧力・引張り力付与部材とを備えているガス栓。
【請求項２】
前記帯状部材の長手方向の中間部位には、前記帯状部材が前記操作姿勢に姿勢変更した場合に、前記被操作部に当接して前記被操作部を前記ガス流通路の上流側へ押圧する押圧操作部位が備えられている請求項１に記載のガス栓。
【請求項３】
前記帯状部材は、環状に形成されており、前記被操作部に対して前記ガス栓本体の軸方向に対向する位置に前記押圧操作部位を配置させる状態で前記ガス流通路に収容されている請求項２に記載のガス栓。
【請求項４】
前記スライド弁の上流端側部位には、環状に形成された前記帯状部材が接続され、前記押圧力・引張り力付与部材は、前記スライド弁の上流端側部位にて構成されている請求項１〜３の何れか１項に記載のガス栓。
【請求項５】
前記帯状部材が前記引張り力を受けた場合、及び、前記帯状部材が前記押圧力を受けた場合の夫々において、前記帯状部材に当接して前記帯状部材の姿勢変更を案内する案内壁部が備えられている請求項１〜４の何れか１項に記載のガス栓。
【請求項６】
前記帯状部材は、弾性変形可能な弾性体にて形成されている請求項１〜５の何れか１項に記載のガス栓。
【請求項７】
前記ガス流通路は、上流側から順に、前記過流出防止弁、前記リセット手段、前記スライド弁を備えて、前記ガス栓本体の軸方向に沿う直線状に設けられている請求項１〜６の何れか１項に記載のガス栓。
【請求項８】
前記スライド弁が、前記ガス栓本体に対するガス接続具の装着及び取り外しに伴って前記閉じ位置と前記開き位置との間で移動する請求項１〜７の何れか１項に記載のガス栓。
【請求項９】
前記スライド弁が、操作部に対する押圧操作に伴って前記閉じ位置と前記開き位置との間で移動する請求項１〜７の何れか１項に記載のガス栓。
【発明の詳細な説明】
【技術分野】
【０００１】
本発明は、ガス流通路が内部に形成された筒状のガス栓本体に、閉じ位置と開き位置との間で前記ガス栓本体の軸方向に移動自在なスライド弁と、前記ガス流通路のガス流通方向で前記スライド弁よりも上流側に配置された過流出防止弁と、前記ガス流通方向で前記スライド弁と前記過流出防止弁との間に配置されて、前記閉じ位置と前記開き位置との間での前記スライド弁の移動により前記過流出防止弁をリセットさせるリセット操作を行うリセット手段とが備えられているガス栓に関する。
【背景技術】
【０００２】
従来のガス栓としてのガスコンセントとして、例えば特許文献１には、ガス流通路が内部に形成された筒状のガス栓本体内に、このガス流通路を開閉するスライド弁の上流側に過流出防止弁を内蔵し、スライド弁と過流出防止弁の間に介装され且つスライド弁の開閉動作時に過流出防止弁をリセットさせるリセット手段を備えたものが開示されている。
【０００３】
このガス栓によれば、リセット手段は、板バネからなるリセット杆と、ガス栓本体の軸方向に移動自在な環状体とを備えている。リセット杆は、その中央部が過流出防止弁における被操作部に当接してその被操作部をガス流通路の上流側に押圧するリセット操作を行うように設けられており、環状体にてリセット杆の両端部が上流側に押し込まれることで、その中央部を下流側に湾曲した状態となる。環状体は、閉じ位置から開き位置へのスライド弁の移動により、付勢部材の付勢力より上流側に移動するように設けられている。このようにして、ガス接続具がガス栓本体から外されている場合には、リセット杆の中央部が過流出防止弁における被操作部に当接してリセット操作を行い、ガス接続具をガス栓本体に装着すると、スライド弁の移動により環状体を上流側に移動させて、リセット杆の中央部を下流側に湾曲した状態として、リセット杆を被操作部から離間させてリセット操作を解除している。
【０００４】
一方、上記のようなガス栓として、ガス栓本体へのガス接続具の装着とは関係なく、操作つまみ等の操作部に対する回転操作に伴って開閉弁である回動弁を回転させて開閉を行ってガスの供給及び停止を切り替える所謂回転式のガス栓（例えば、特許文献２を参照。）などが知られている。また、ガスコンロ等に内蔵されガス流入路とガス流出路との間の開閉を行ってガスの供給及び停止を切り替える開閉弁として、操作ボタン等の操作部に対する押圧操作に伴って開閉弁であるスライド弁をスライドさせて開閉を行う所謂プッシュプッシュ式の開閉弁（例えば、特許文献３を参照。）などが知られており、上記ガス栓についても、この開閉弁と同様にプッシュプッシュ式に構成することが望まれている。
【先行技術文献】
【特許文献】
【０００５】
【特許文献１】特開平０５−３４０４８４号公報
【特許文献２】特公平０２−０２１６６０号公報
【特許文献３】特開平０２−１５４９１８号公報
【発明の概要】
【発明が解決しようとする課題】
【０００６】
特許文献１に記載のガス栓では、リセット手段として、リセット杆及び環状体に加え、閉じ位置から開き位置へのスライド弁の移動によって環状体を上流側に移動させるための付勢部材を設けており、リセット手段を構成する構成部材が多く、構成の複雑化及び部材点数の増加を招いている。また、リセット杆の中央部を下流側に湾曲した状態として、リセット杆を被操作部から離間させてリセット操作を解除しているので、リセット杆の中央部を下流側に湾曲した状態とするために、リセット杆の両端部のみに当接するように環状体を構成する必要がある等、環状体の構成が複雑なものとなっており、リセット手段の構成が複雑なものとなっている。
【０００７】
本発明は、かかる点に着目してなされたものであり、その目的は、リセット手段の構成の簡素化及び部材点数の減少を図り、リセット手段によるリセット操作及びリセット操作の解除を適切に行うことができるガス栓を提供する点にある。
【課題を解決するための手段】
【０００８】
上記目的を達成するための本発明のガス栓は、
ガス流通路が内部に形成された筒状のガス栓本体に、閉じ位置と開き位置との間で前記ガス栓本体の軸方向に移動自在なスライド弁と、前記ガス流通路のガス流通方向で前記スライド弁よりも上流側に配置された過流出防止弁と、前記ガス流通方向で前記スライド弁と前記過流出防止弁との間に配置されて、前記閉じ位置と前記開き位置との間での前記スライド弁の移動により前記過流出防止弁をリセットさせるリセット操作を行うリセット手段とが備えられているガス栓であって、その特徴構成は、
前記リセット操作は、前記過流出防止弁における被操作部を前記ガス流通路の上流側へ押圧する操作であり、
前記リセット手段は、前記ガス流通路の下流側への引張り力又は上流側への押圧力の何れか一方を受けた場合に前記被操作部に当接して前記リセット操作を行う操作姿勢に姿勢変更されるとともに、前記ガス流通路の下流側への引張り力又は上流側への押圧力の何れか他方を受けた場合に前記被操作部から離間して前記リセット操作を解除する操作解除姿勢に姿勢変更される状態で、前記ガス流通路に収容された帯状部材と、
前記帯状部材と接続されると共に、前記スライド弁の前記閉じ位置と前記開き位置との間の移動により前記引張り力及び前記押圧力を付与自在な押圧力・引張り力付与部材とを備えている点にある。
ここで、何れか一方と他方との対応関係は、下流側への引張り力（一方）に対する上流側への押圧力（他方）の関係（後述する第１実施形態及び第２実施形態に示す関係）、或いは、上流側への押圧力（一方）に対する下流側への引張り力（他方）の関係（後述する第３実施形態に示す関係）を意味する。
【０００９】
本特徴構成によれば、例えば、スライド弁の開き位置から閉じ位置への移動により、押圧力・引張り力付与部材は帯状部材に対してガス流通路の下流側への引張り力を付与し、帯状部材が過流出防止弁における被操作部に当接してリセット操作を行う操作姿勢に姿勢変更することができる。一方で、スライド弁の閉じ位置から開き位置への移動により、押圧力・引張り力付与部材は帯状部材に対してガス流通路の上流側への押圧力を付与し、帯状部材が被操作部から離間して被操作部に対するリセット操作を解除する操作解除姿勢に姿勢変更することができる。
また、例えば、スライド弁の開き位置から閉じ位置への移動により、押圧力・引張り力付与部材は帯状部材に対してガス流通路の上流側への押圧力を付与し、帯状部材が過流出防止弁における被操作部に当接してリセット操作を行う操作姿勢に姿勢変更することができる。一方で、スライド弁の閉じ位置から開き位置への移動により、押圧力・引張り力付与部材は帯状部材に対してガス流通路の下流側への引張り力を付与し、帯状部材が被操作部から離間して被操作部に対するリセット操作を解除する操作解除姿勢に姿勢変更することができる。
このように、スライド弁の移動に伴い押圧力・引張り力付与部材にて帯状部材に引っ張り力又は押圧力の何れか一方を付与して帯状部材を操作姿勢とすることでリセット操作を行い、一方で、押圧力・引張り力付与部材にて帯状部材に引張り力又は押圧力の何れか他方を付与して帯状部材を操作解除姿勢とすることでリセット操作を解除することができる。
【００１０】
そして、例えば、押圧力・引張り力付与部材をスライド弁と一体的に移動自在に構成すると、押圧力・引張り力付与部材に帯状部材が接続されているので、スライド弁が開き位置と閉じ位置との間で移動するだけで、引張り力及び押圧力の両者を適切に付与することを可能としつつ、押圧力・引張り力付与部材の構成の簡素化を図ることができる。
したがって、リセット手段としては、帯状部材に加えて、このように簡素な構成とすることができる押圧力・引張り力付与部材を備えるだけでよく、リセット手段の構成の簡素化及び部材点数の減少を図り、リセット手段によるリセット操作及びリセット操作の解除を適切に行うことができる。
【００１１】
本発明のガス栓の更なる特徴構成は、
前記帯状部材の長手方向の中間部位には、前記帯状部材が前記操作姿勢に姿勢変更した場合に、前記被操作部に当接して前記被操作部を前記ガス流通路の上流側へ押圧する押圧操作部位が備えられている点にある。
【００１２】
本特徴構成によれば、帯状部材の長手方向の中間部位に、被操作部に当接して被操作部をガス流通路の上流側へ押圧する押圧操作部位が設けられているので、帯状部材が操作姿勢に姿勢変更した場合に、帯状部材の押圧操作部位が被操作部に当接しつつ上流側へ押圧するので、リセット操作を確実に行なうことができる。
【００１３】
本発明のガス栓の更なる特徴構成は、
前記帯状部材は、環状に形成されており、前記被操作部に対して前記ガス栓本体の軸方向に対向する位置に前記押圧操作部位を配置させる状態で前記ガス流通路に収容されている点にある。
【００１４】
本特徴構成によれば、帯状部材は、環状に形成されているので、押圧力・引張り力付与部材に接続することで、押圧力・引張り力付与部材が移動するだけで、帯状部材に対して、引張り力及び押圧力の両者を適切に付与することができる。そして、押圧操作部位は、被操作部に対してガス栓本体の軸方向に対向する位置に配置されているので、操作姿勢となった場合に、押圧操作部位を確実に被操作部に当接させることができ、リセット操作を確実に行うことができる。
【００１５】
本発明のガス栓の更なる特徴構成は、
前記スライド弁の上流端側部位には、環状に形成された前記帯状部材が接続され、前記押圧力・引張り力付与部材は、前記スライド弁の上流端側部位にて構成されている点にある。
【００１６】
本特徴構成によれば、前記押圧力・引張り力付与部材がスライド弁の上流端側部位にて構成されるので、リセット手段をスライド弁と帯状部材のみで構成することができ、リセット手段の構成の簡素化及び部材点数の減少を図り、リセット手段によるリセット操作及びリセット操作の解除を適切に行うことができる。
【００１７】
本発明のガス栓の更なる特徴構成は、
前記帯状部材が前記引張り力を受けた場合、及び、前記帯状部材が前記押圧力を受けた場合の夫々において、前記帯状部材に当接して前記帯状部材の姿勢変更を案内する案内壁部が備えられている点にある。
【００１８】
本特徴構成によれば、押圧力・引張り力付与部材から押圧力・引張り力を付与された帯状部材は、案内壁部による案内によって、リセット操作を行なう操作姿勢への姿勢変更およびリセット操作を解除する操作解除姿勢への姿勢変更が可能とされ、リセット操作及びリセット操作の解除を適切に行うことができる。
【００１９】
本発明のガス栓の更なる特徴構成は、
前記帯状部材は、弾性変形可能な弾性体にて形成されている点にある。
【００２０】
本特徴構成によれば、帯状部材は、弾性変形可能な弾性体にて形成されているので、引張り力や押圧力の付与による姿勢変更を行い易いものとなるとともに、操作姿勢及び操作解除姿勢の夫々において、その姿勢を保持し易いものとなる。したがって、リセット操作及びリセット操作の解除を適切に行うことができる帯状部材を構成することができる。
【００２１】
本発明のガス栓の更なる特徴構成は、
前記ガス流通路は、上流側から順に、前記過流出防止弁、前記リセット手段、前記スライド弁を備えて、前記ガス栓本体の軸方向に沿う直線状に設けられている点にある。
【００２２】
本特徴構成によれば、ガス流通路内において、過流出防止弁、リセット手段、スライド弁の順で設けられつつ、ガス栓本体の軸方向に沿う直線状に設けられているので、ガス栓本体をコンパクトに構成することができながら、過流出防止弁とリセット手段とスライド弁とをガス栓本体の軸方向に隣接する状態で直線状に並べて配置することができる。したがって、過流出防止弁とリセット手段とスライド弁との位置関係を簡易なものとすることができ、スライド弁の移動を利用して過流出防止弁をリセットさせるリセット手段の構成の簡素化をより一層図ることができるとともに、リセット手段によるリセット操作及びリセット操作の解除についても適切に行なうことができる。しかも、ガス栓全体を直線状とすることで、ガスコンセントを設置する場合に、ガス栓本体に接続するガス配管と同軸にガスコンセントを設置することが可能となり、設置スペースの縮小を図ることができる。
更に、ガス栓本体を直線状とすることで、ガスコンセントを壁内に埋め込む形態や壁を貫通する形態にて設置する場合に、壁に形成する開口部の面積を小さくすることができる。
【００２３】
本発明のガス栓の更なる特徴構成は、
前記スライド弁が、前記ガス栓本体に対するガス接続具の装着及び取り外しに伴って前記閉じ位置と前記開き位置との間で移動する点にある。
【００２４】
即ち、本発明に係るガス栓は、スライド弁が前記ガス栓本体に対するガス接続具の装着及び取り外しに伴って前記閉じ位置と前記開き位置との間で移動するようにして、所謂ガスコンセントとして構成できる。
【００２５】
本発明のガス栓の更なる特徴構成は、
前記スライド弁が、操作部に対する押圧操作に伴って前記閉じ位置と前記開き位置との間で移動する点にある。
【００２６】
このように本発明のガス栓は、スライド弁が操作部に対する押圧操作に伴って前記閉じ位置と前記開き位置との間で移動するようにして、所謂プッシュプッシュ式のガスコックとして構成することができる。
【図面の簡単な説明】
【００２７】
【図１】第１実施形態におけるガス接続具をガス栓本体から取り外している状態でのガス接続具とガス栓との断面図
【図２】第１実施形態におけるガス接続具をガス栓本体に装着している状態でのガス接続具とガス栓との断面図
【図３】第１実施形態におけるガス栓の動きを示す断面図
【図４】別実施形態におけるガス栓の断面図
【図５】第２実施形態のガス栓の閉栓時の状態を示す側断面図
【図６】第２実施形態のガス栓のスライド弁及び操作機構部を示す分解斜視図
【図７】第２実施形態のガス栓の閉栓時で過流出防止弁の非作動時の状態を示す側断面図
【図８】第２実施形態のガス栓の開栓動作途中の状態を示す側断面図
【図９】第２実施形態のガス栓の開栓時で過流出防止弁の作動時の状態を示す側断面図
【図１０】第２実施形態における開栓動作時のガイド溝におけるガイドピンの位置の遷移状態を説明する説明図
【図１１】第２実施形態における閉栓動作時のガイド溝におけるガイドピンの位置の遷移状態を説明する説明図
【図１２】第３実施形態の開栓時を示す側断面図
【図１３】第３実施形態の開栓時で過流出防止弁の作動時の状態を示す側断面図
【図１４】第３実施形態のガス栓の開栓動作途中の状態を示す側断面図
【図１５】第３実施形態の閉栓時を示す側断面図
【発明を実施するための形態】
【００２８】
＜第１実施形態＞
本発明に係るガス栓の第１実施形態を図面に基づいて説明する。
第１実施形態の係るガス栓は、図１及び図２に示すように、ガス流通路１が内部に形成された円筒状のガス栓本体２を備えており、そのガス栓本体２にガス接続具１００を装着することでガス流通路１でのガス流通によりガス接続具１００に接続されたガス器具へのガス供給を行い、ガス栓本体２からガス接続具１００を取り外すことでガス流通路１でのガス流通を停止してガス器具へのガス供給を停止する、所謂ガスコンセントとして構成されている。図１は、ガス接続具１００をガス栓本体２から取り外している状態を示しており、図２は、ガス接続具１００をガス栓本体２に装着している状態を示している。
【００２９】
ガス栓本体２には、ガス流通路１を開閉自在なスライド弁Ｇと、ガス流通路１でのガス流量が一定以上の過流量となった場合にガス流通を阻止する過流出防止弁Ｈ２と、ガス接続具１００のガス栓本体２からの取り外しが行われた場合に過流出防止弁Ｈ２をリセットさせるリセット操作を行うリセット手段Ｒとが備えられている。ここで、リセット操作は、過流出防止弁Ｈ２における被操作部材Ｈ３（被操作部に相当する）をガス流通路１の上流側へ押圧する操作となっている。
【００３０】
ガス流通路１は、その流路断面を円形状とし、ガス栓本体２の軸方向（図１及び図２中Ｘ方向）に沿う直線状に設けられており、ガス栓本体２の軸方向とガス流通路１のガス流通方向が同一方向となっている。ガス流通路１は、流路径が変更された複数の流路部位１ａ〜１ｇから構成されており、ガス流通方向の上流側（図１及び図２中Ｘ方向の右側）から順に、過流出防止弁Ｈ２を備えた過流出防止機構Ｈ、リセット手段Ｒ、スライド弁Ｇが備えられている。複数の流路部位として、ガス流通方向の上流側から順に、第１流路部位１ａ、第２流路部位１ｂ、第３流路部位１ｃ、第４流路部位１ｄ、第５流路部位１ｅ、第６流路部位１ｆ、第７流路部位１ｇが備えられている。第１流路部位１ａは、ガス流入口（図示省略）に連通されており、第２流路部位１ｂは、第１流路部位１ａよりも流路径が小さく形成されており、過流出防止機構Ｈが配置されている。第３流路部位１ｃは、第２流路部位１ｂよりも流路径が小さく形成されており、リセット手段Ｒが配置されている。第４流路部位１ｄは、第３流路部位１ｃよりも流路径が小さく形成されており、第５流路部位１ｅは、第３流路部位１ｃよりも流路径が大きく形成されている。第６流路部位１ｆは、第５流路部位１ｅよりも流路径が小さく形成されており、第７流路部位１ｇは、上流側よりも下流側の方が流路径を小さくする傾斜状に形成されており、ガス栓本体２の先端部に形成されたガス流出口３に連通されている。
【００３１】
スライド弁Ｇは、ガス流通路１における第６流路部位１ｆを閉弁自在な第１弁体Ｇ１と、ガス流通路１における第７流路部位１ｇを閉弁自在な第２弁体Ｇ２とを備えている。
第１弁体Ｇ１は、第６流路部位１ｆと第５流路部位１ｅとに亘ってガス栓本体２の軸方向に沿って移動自在に設けられている。第１弁体Ｇ１の上流側端部部位の外径が第６流路部位１ｆの流路径と同一となっており、第１弁体Ｇ１が着座する弁座部が第６流路部位１ｆの内壁部にて構成されている。第１弁体Ｇ１は、第６流路部位１ｆに移動した場合に第６流路部位１ｆを閉じる閉じ位置に位置し、第５流路部位１ｅに移動した場合にガス流通を許容する開き位置に位置する。第１弁体Ｇ１は、第１付勢部材Ｆ１によって閉じ位置に復帰するように付勢されており、ガス接続具１００がガス栓本体２から取り外されている場合には、閉じ位置に位置して第６流路部位１ｆを閉弁している。
【００３２】
第２弁体Ｇ２は、第６流路部位１ｆと第７流路部位１ｇとに亘ってガス栓本体２の軸方向に沿って移動自在に設けられている。第２弁体Ｇ２の下流側端部部位の外径が第７流路部位１ｇの傾斜部位の流路径と同一となっており、第２弁体Ｇ２が着座する弁座部が第７流路部位１ｇの傾斜部位にて構成されている。第２弁体Ｇ２は、第７流路部位１ｇに移動した場合に第７流路部位１ｇを閉じる閉じ位置に位置し、第６流路部位１ｆに移動した場合にガス流通を許容する開き位置に位置する。第２弁体Ｇ２は、第２付勢部材Ｆ２によって閉じ位置に復帰するように付勢されており、ガス接続具１００がガス栓本体２から取り外されている場合には、閉じ位置に位置して第７流路部位１ｇを閉弁している。
このようにして、スライド弁Ｇを構成する第１弁体Ｇ１と第２弁体Ｇ２の両者は、ガス栓本体２の軸方向に沿って閉じ位置と開き位置との間で移動自在で、ガス流通路１を閉じる閉じ位置に復帰するように付勢されている。
【００３３】
ガス栓本体２に対して装着及び取り外し自在なガス接続具１００について説明する。このガス接続具１００は、既に公知の構成であるので、詳細な説明は省略して簡単に説明する。
ガス接続具１００は、第１コイルバネ１０１により前方側（図１及び図２中Ｘ方向の右側）に付勢される突出部材１０２と、ロック用ボール１０３と、ロック用ボール１０３の位置を径方向の内側から規制するとともに、ガス栓本体２の先端部に当接して押圧されて引退する内径部材１０４と、ガス栓本体２に装着される際にスライド弁Ｇを押圧する棒状の押圧部１０５とを備えている。
【００３４】
ガス接続具１００をガス栓本体２に装着する場合には、図２に示すように、ガス栓本体２の先端部が内径部材１０４に当接して内径部材１０４を第２コイルバネ１０６の付勢力に抗して引退させる。内径部材１０４の引退によりロック用ボール１０３が径方向の内側に移動して、ガス栓本体２に形成された嵌込溝２ａにロック用ボール１０３が嵌り込んで、突出部材１０２が第１コイルバネ１０１の付勢力により前方側（図２中Ｘ方向の右側）に突出する。このように、ガス接続具１００のロック用ボール１０３がガス栓本体２の嵌込溝２ａに嵌り込むことで、ガス接続具１００がガス栓本体２に外嵌装着される。ガス接続具１００がガス栓本体２に装着される際に、ガス接続具１００の押圧部１０５にてスライド弁Ｇが押圧される。この押圧部１０５によるスライド弁Ｇに対する押圧によって、第１弁体Ｇ１と第２弁体Ｇ２の両者が、ガス栓本体２の軸方向に沿ってガス流通路１の上流側（図２中Ｘ方向の右側）に移動して、閉じ位置から開き位置に移動することになり、ガス流通路１が開弁されてガス器具へのガス供給が行われる。
【００３５】
ガス接続具１００をガス栓本体２から取り外す場合には、突出部材１０２を第１コイルバネ１０１の付勢力に抗して押込操作することで、嵌込溝２ａへのロック用ボール１０３の嵌り込みが解除されるので、ガス接続具１００をガス栓本体２から取り外すことができる。そして、ガス接続具１００をガス栓本体２から取り外すと、スライド弁Ｇに対する押圧部１０５による押圧が解除され、第１弁体Ｇ１と第２弁体Ｇ２の両者が、付勢部材Ｆ１，Ｆ２の付勢力によって、ガス栓本体２の軸方向に沿ってガス流通路１の下流側（図２中Ｘ方向の左側）に移動して、開き位置から閉じ位置に復帰されて、ガス流通路１が閉弁される。
【００３６】
過流出防止機構Ｈは、ガス流通路１の第２流路部位１ｂに配置されており、内部にガスを流通する流路が形成された筒状部材Ｈ１を備えている。筒状部材Ｈ１の内部には、ガス流通を許容する初期位置とガス流通を阻止する作動位置とにガス栓本体２の軸方向に移動自在な過流出防止弁Ｈ２と、リセット手段Ｒからリセット操作としてのガス流通路１の上流側への押圧操作を受ける被操作部材Ｈ３（被操作部に相当する）と、過流出防止弁Ｈ２及び被操作部材Ｈ３をガス栓本体２の軸方向に移動自在に支持する支持部材Ｈ４とが備えられている。
【００３７】
過流出防止弁Ｈ２は、第３付勢部材Ｆ３によって、作動位置よりも上流側の初期位置に復帰するように付勢されており、当接部材Ｈ５に当接することで初期位置に位置保持されている。そして、過流出防止弁Ｈ２は、ガス流量が一定以上の過流量となると、そのガス流量の流動圧によって初期位置から作動位置に移動自在に備えられており、作動位置に移動した過流出防止弁Ｈ２が弁座部Ｈ６に着座してガス流通を阻止している。
【００３８】
支持部材Ｈ４は、その内部がガス栓本体２の軸方向に貫通する円筒状に形成されている。支持部材Ｈ４の上流側部位は、過流出防止弁Ｈ２の軸部Ｈ２ａに外嵌して、ガス栓本体２の軸方向に移動自在に過流出防止弁Ｈ２を支持している。支持部材Ｈ４の下流側部位は、被操作部材Ｈ３に外嵌して、ガス栓本体２の軸方向に移動自在に被操作部材Ｈ３を支持している。
【００３９】
被操作部材Ｈ３の上流側部位Ｈ３ａは、ガス栓本体２の軸方向に延びる棒状に形成されており、支持部材Ｈ４に内嵌されて、ガス栓本体２の軸方向に移動自在に支持されている。被操作部材Ｈ３の下流側部位は、ガス流通路１の流路径方向の中央部に下流側に突出する頭部Ｈ３ｂが備えられた概略円錐状に形成されている。頭部Ｈ３ｂの径方向の外側には、径方向の外側に延びる脚部Ｈ３ｃを備えており、その脚部Ｈ３ｃの先端部が筒状部材Ｈ１に形成された係合溝Ｈ１ａに係合されている。図示は省略するが、脚部Ｈ３ｃは、周方向で間隔を隔てて複数備えられており、脚部Ｈ３ｃ同士の間をガスが流通している。被操作部材Ｈ３は、第４付勢部材Ｆ４によって下流側部位の頭部Ｈ３ｂが筒状部材Ｈ１からガス流通路１の下流側に突出する突出位置に復帰するように付勢されており、脚部Ｈ３ｃが係合溝Ｈ１ａの端部に当接して突出位置に位置保持されている。
【００４０】
支持部材Ｈ４は、初期位置に位置する過流出防止弁Ｈ２と突出位置に位置する被操作部材Ｈ３との間に、初期位置から作動位置までの移動量に相当する間隔を隔てる状態で、過流出防止弁Ｈ２と被操作部材Ｈ３をガス栓本体２の軸方向に移動自在に支持している。これにより、過流出防止機構Ｈは、突出位置に位置する被操作部材Ｈ３がガス流通路１の上流側へ押圧されるリセット操作が解除されている場合に、過流出防止弁Ｈ２の初期位置から作動位置への移動を許容している。
一方、一定以上のガス流量の流動圧によって過流出防止弁Ｈ２が作動位置に移動すると、作動位置に移動した過流出防止弁Ｈ２と突出位置に位置する被操作部材Ｈ３とが当接するようになっている。突出位置に位置する被操作部材Ｈ３がガス流通路１の上流側へ押圧されるリセット操作を受けた場合には、被操作部材Ｈ３と過流出防止弁Ｈ２との当接により被操作部材Ｈ３と過流出防止弁Ｈ２が一体的にガス流通路１の上流側へ移動することになり、過流出防止弁Ｈ２の弁座部Ｈ６への着座が解除されて、上流側からのガス圧が解除され、第３付勢部材Ｆ３の付勢力によって過流出防止弁Ｈ２が初期位置に復帰される。このようにして、過流出防止機構Ｈは、突出位置に位置する被操作部材Ｈ３がガス流通路１の上流側へ押圧されるリセット操作を受けた場合に、過流出防止弁Ｈ２を初期位置に復帰させている。
【００４１】
リセット手段Ｒは、ガス接続具１００のガス栓本体２からの取り外しが行われた場合に、ガス栓本体２の軸方向でのスライド弁Ｇの開き位置から閉じ位置への移動に伴って、過流出防止弁Ｈ２を初期位置に復帰させるために（リセットさせるために）被操作部材Ｈ３の頭部Ｈ３ｂをガス流通路１の上流側へ押圧するリセット操作を行うように構成されている。
【００４２】
リセット手段Ｒは、第３流路部位１ｃから第５流路部位１ｅに亘って収容される帯状部材Ｒ１と、スライド弁Ｇの移動により帯状部材Ｒ１に対して引張り力及び押圧力を付与する押圧力・引張り力付与部材とを備えており、その押圧力・引張り力付与部材がスライド弁Ｇの上流端側部位である第１弁体Ｇ１にて構成されている。帯状部材Ｒ１は、第１弁体Ｇ１の上流側の側面と接続される接続部Ｒａと、過流出防止弁Ｈ２における被操作部材Ｈ３に当接する押圧操作部位Ｒ２とを有している。これにより、スライド弁Ｇが閉じ位置から開き位置へ移動する場合に、帯状部材Ｒ１に対してガス流通路１の上流側への押圧力を付与し、一方で、開き位置から閉じ位置へ移動された場合に、帯状部材Ｒ１に対してガス流通路１の下流側への引張り力を付与する。
【００４３】
帯状部材Ｒ１は、ガス流通路１の下流側への引張り力を受けた場合に、図１に示すように、押圧操作部位Ｒ２が被操作部材Ｈ３に当接してリセット操作を行う操作姿勢となる。一方、帯状部材Ｒ１がガス流通路１の上流側への押圧力を受けた場合には、図２に示すように、押圧操作部位Ｒ２が被操作部材Ｈ３から離間してリセット操作を解除する操作解除姿勢となる。また、帯状部材Ｒ１は、弾性変形可能な弾性体で環状に形成されており、押圧操作部位Ｒ２をガス栓本体２の軸方向で被操作部材Ｈ３の頭部Ｈ３ｂと対向する位置に配置させる状態でガス流通路１に収容されている。
【００４４】
また、帯状部材Ｒ１がガス流通路１の下流側への引張り力を受けた場合に、案内壁部である第３流路部位１ｃの内周面１ｃａ及び上流側側面１ｃｂは、帯状部材Ｒ１に当接してリセット操作を操作姿勢への姿勢変更を案内する。一方、ガス流通路１の上流側への押圧力を受けた場合においても、帯状部材Ｒ１に当接してリセット操作を解除する操作解除姿勢への姿勢変更を案内する。つまり、帯状部材Ｒ１は、縮径された状態で第３流路部位１ｃに収納されており、弾性力によって第３流路部位１ｃの内周面１ｃａ及び上流側側面１ｃｂに当て付けられている。したがって、帯状部材Ｒ１が引張り力や押圧力を受けることで、第３流路部位１ｃの内周面１ｃａ及び上流側側面１ｃｂによって支持された状態で操作姿勢や操作解除姿勢となるとともに、その操作姿勢や操作解除姿勢に姿勢保持されるようになっている。
【００４５】
以下、図３に基づいて、スライド弁Ｇ、過流出防止機構Ｈ、リセット手段Ｒの動きについて説明する。
図３（ａ）は、ガス接続具１００をガス栓本体２から取り外している状態を示している。図３（ｂ）は、ガス接続具１００をガス栓本体２に装着した状態を示している。図３（ｃ）は、ガス接続具１００をガス栓本体２に装着しているときに、過流出防止弁Ｈ２が初期位置から作動位置に移動した状態を示している。図３（ｄ）は、ガス接続具１００をガス栓本体２から取り外すことでリセット操作を行う状態を示している
【００４６】
図３（ａ）に示すように、ガス接続具１００をガス栓本体２から取り外している場合には、スライド弁Ｇが閉じ位置に位置しており、ガス流通路１がスライド弁Ｇにて閉弁されている。この状態においては、帯状部材Ｒ１の押圧操作部位Ｒ２に、被操作部材Ｈ３の頭部Ｈ３ｂが当接して、ガス流通路１の上流側へ押圧するリセット操作が行われている。このリセット操作によって過流出防止弁Ｈ２が初期位置に復帰される。図３（ａ）では、過流出防止弁Ｈ２については初期位置に復帰された状態を示している。
【００４７】
図３（ｂ）に示すように、ガス接続具１００をガス栓本体２に装着すると、ガス接続具１００の押圧部１０５がスライド弁Ｇをガス流通路１の上流側に押圧して、スライド弁Ｇが閉じ位置から開き位置に移動してガス流通路１を開弁させる。このとき、スライド弁Ｇの移動に伴って帯状部材Ｒ１の押圧操作部位Ｒ２が下流側へ移動して、被操作部材Ｈ３の頭部Ｈ３ｂをガス流通路１の上流側へ押圧するリセット操作状態が解除される。リセット操作が解除されると、被操作部材Ｈ３は、第４付勢部材Ｆ４の付勢力によって頭部Ｈ３ｂが突出位置に復帰される。このようにして、被操作部材Ｈ３が突出位置に復帰されると、被操作部材Ｈ３と過流出防止弁Ｈ２との間に、過流出防止弁Ｈ２の初期位置から作動位置への移動を許容するスペースが形成される。
【００４８】
図３（ｃ）に示すように、ガス流量が一定以上の過流量となると、そのガス流量の流動圧によって過流出防止弁Ｈ２がガス栓本体２の軸方向に沿ってガス流通路１の下流側に移動して、過流出防止弁Ｈ２が初期位置から作動位置へ移動する。これにより、過流出防止弁Ｈ２によってガス流通が阻止された状態となる。
【００４９】
図３（ｄ）に示すように、ガス接続具１００をガス栓本体２から取り外すと、ガス接続具１００の押圧部１０５によるスライド弁Ｇに対するガス流通路１の上流側への押圧が解除されて、第１付勢部材Ｆ１及び第２付勢部材Ｆ２の付勢力によってスライド弁Ｇがガス栓本体２の軸方向に沿って開き位置から閉じ位置に移動する。このとき、スライド弁Ｇの移動に伴って帯状部材Ｒ１の押圧操作部位Ｒ２が上流側へ移動して、被操作部材Ｈ３と押圧操作部位Ｒ２とが当接して、被操作部材Ｈ３の頭部Ｈ３ｂをガス流通路１の上流側へ押圧するリセット操作が行われて、図３（ａ）に示すように、過流出防止弁Ｈ２が初期位置に復帰される。
【００５０】
＜第２実施形態＞
これまで説明してきた実施の形態では、本発明に係るガス栓を、ガス栓本体２に対するガス接続具１００の装着及び取り外しに伴ってスライド弁Ｇを閉じ位置と開き位置との間で移動させてガス器具へのガスの供給と停止との切り替えを行う所謂ガスコンセントとして構成したが、以下に、本発明に係るガス栓を、操作部に対する手動操作に伴ってスライド弁を閉じ位置と開き位置との間で移動させてガス器具へのガスの供給と停止との切り替えを行う、所謂ツマミ付きガス栓として構成した実施形態について、図５〜図１１に基づいて説明する。尚、これまで説明してきた実施形態と同様の構成については、説明を割愛する場合がある。
【００５１】
本実施形態のつまみ付きガス栓として構成されたガス栓は、図５及び図６に示すように、弁収容部５と、当該弁収容部５に対して夫々が開口するガス流入路１Ａ及びガス流出路１Ｂが、内部に形成されたガス栓本体２と、弁収容部５に収容され、ガス流入路１Ａとガス流出路１Ｂとの間の開閉を行う弁機構部Ａと、操作部１１に対する操作に伴って弁機構部Ａを開閉させる操作機構部Ｂとを備えている。
以下、ガス栓本体２、弁機構部Ａ、及び操作機構部Ｂの詳細構成について、順次説明する。
【００５２】
〔ガス栓本体〕
ガス流入路１Ａ及びガス流出路１Ｂの夫々は、互いの軸線Ｘ、Ｙを直角に交差する状態でガス栓本体２の内部に配置された円形断面を有する流路である。具体的には、ガス流入路１Ａの軸線Ｘを上下方向に配置すると共に、ガス流出路１Ｂの軸線Ｙを横向きに配置することで、本実施形態のガス栓は所謂Ｌ型のガス栓として構成されている。このように構成されたＬ型のガス栓は、下から上に向けてガス栓本体２に流入したガスｇを横向きに吐出して、側方に配置されたガス機器（図示せず）等に供給する。尚、本実施形態においてガス栓を上記Ｌ型のガス栓として構成するのではなく、例えば、ガス流出路１Ｂを斜め下向きに設けるなど、ガス流入路１Ａとガス流出路１Ｂとの交差角度は適宜改変可能である。
また、弁収容部５は、ガス流入路１Ａの上方延長上にガス栓本体２の内部に形成された円形断面を有する空間であり、弁収容部５の下方にはガス流入路１Ａが開口し、弁収容部５の側方にはガス流出路１Ｂが開口することになる。
【００５３】
〔弁機構部〕
ガス流入路１Ａ及びガス流出路１Ｂの何れか一方の特定ガス流通路をガス流入路１Ａとし、同特定ガス流通路の軸線である特定軸線をガス流入路１Ａの軸線Ｘとすると、弁機構部Ａは、当該特定ガス流通路であるガス流入路１Ａの弁収容部５に対する開口部１Ａａに形成された弁座部６と、同特定軸線である軸線Ｘに沿ってスライドして弁座部６に対して着座して当該開口部１Ａａを閉塞する閉じ位置と、軸線Ｘに沿ってスライドして弁座部６に対して離間して当該開口部１Ａａを開放する開き位置との間で変位するスライド弁Ｇ'とを有して構成されている。
即ち、スライド弁Ｇ'は、上下方向に配置されたガス流入路１Ａの軸線Ｘに沿って、上下方向にスライドする。そして、そのスライド範囲の上端位置が、スライド弁Ｇ'が弁座部６に着座して開口部１Ａａを閉塞する閉じ位置であり、同範囲の下端位置が、スライド弁Ｇ'が弁座部６に対して離間して当該開口部１Ａａを開放する開き位置となる。よって、本実施形態において、閉じ位置側とは上方側を示し、開き位置側とは下方側を示すことになる。
ここで、図７、図８、及び図９にはスライド弁Ｇ'が開き位置にある状態が示されており、図５にはスライド弁Ｇ'が閉じ位置にある状態が示されている。
【００５４】
〔操作機構部〕
操作機構部Ｂは、操作者による操作部１１に対する下向きの押圧操作をスライド弁Ｇ'に伝達させて当該スライド弁Ｇ'と共にスライド可能なスライド部Ｃと、スライド部Ｃを軸線Ｘに沿って開き位置側から閉じ位置側に向かう上向きに付勢する軸線付勢手段Ｄと、スライド部Ｃのスライドをガイドするガイド部２０とからなる。
操作部１１は、ガス流入路１Ａの軸線Ｘと同軸上に配置されガス栓本体２の上部を覆う逆カップ状の操作ボタン１０の上底部の上面として設けられている。
また、操作ボタン１０は、軸線Ｘに沿って上下方向にスライド可能に設けられており、更に操作ボタン１０の上底部の下面とガス栓本体２の上面との間には、ガス栓本体２に対し操作ボタン１０を上向きに付勢するコイルバネ１３が介挿されている。
尚、このコイルバネ１３は、巻線部分が隣接間において互いに離間している通常のコイルバネが利用されており、軸線Ｘに沿って圧縮力を受けることで同軸線Ｘに沿って膨張力を発生する。
【００５５】
スライド部Ｃは、軸線Ｘ周りに回転自在に設けられたガイドピン１８と、当該ガイドピン１８を軸線Ｘ周りの方向に付勢する回転付勢手段Ｅとを有して構成されている。
ガイドピン１８は、軸線Ｘと同軸上に配置され当該軸線Ｘに沿ってスライド可能な円柱状の軸部材１７の外表面において、軸部材１７の円形断面の径外方向に向けて突出形成されている。
一方、回転付勢手段Ｅは、操作ボタン１０における上底部の下面に一端部が固定され、上記軸部材１７の上面に他端部が固定されて、ガス流入路１Ａの軸線Ｘと同軸上に配置されたねじりコイルバネ１５で構成されている。
尚、このねじりコイルバネ１５は、巻線部分が隣接間において互いに密着しているコイルバネであり、ある回転方向にねじりモーメントを受けることで当該回転方向とは逆の回転方向（図５における右方向）に反発力を発生する。更に、かかるねじりコイルバネ１５は、巻線部分が隣接間において互いに密着していることで、一端側から受けた操作部１１の軸線Ｘに沿った下方向の押圧力を、他端側の軸部材１７に伝達することができる。
ねじりコイルバネ１５の両端部には、突起部１６が設けられており、突起部１６を含む巻線部分が、操作ボタン１０における上底部の下面に形成された溝部１２、及び軸部材１７の上面に形成された溝部１９に嵌め込まれることで、ねじりコイルバネ１５の両端が操作ボタン１０及び軸部材１７に固定されている。
【００５６】
軸線付勢手段Ｄは、巻線部分が隣接間において互いに離間している通常のコイルバネ２４からなり、軸線Ｘに沿って圧縮力を受けることで同軸線Ｘに沿って膨張力を発生する。
このコイルバネ２４は、スライド弁Ｇ'の下面と、弁収容部５の下方に設けられた筒状部材Ｈ１の上面との間に軸線Ｘに沿って圧縮状態で介挿されており、筒状部材Ｈ１の上面に対してスライド弁Ｇ'を上向きに付勢する形態で、スライド弁Ｇ'とスライド部Ｃとを軸線Ｘに沿って開き位置側から閉じ位置側に向かう上向きに付勢する。
【００５７】
ガイド部２０は、ガイドピン１８が挿入されて当該ガイドピン１８の軸線Ｘ上のスライド及び軸線Ｘ周りの回転を誘導するガイド溝２２を外表面に形成した筒状部材２１で構成されている。
更に、このガイド溝２２には、操作部１１に押圧力を付加してスライド弁Ｇ'を開き位置から閉じ位置まで変位させるときにガイドピン１８をねじりコイルバネ１５の付勢力に抗して回転させる回転誘導部２２ａ、２２ｂと、続いて当該押圧力を抜いたときにスライド弁Ｇ'を閉じ位置に維持する状態でコイルバネ２４及びねじりコイルバネ１５により付勢されるガイドピン１８が係止する係止部２２ｃとが形成されている。
そして、このような構成により、本第２実施形態のガス栓は、詳細については後述するが、操作部１１に対する一の押圧操作により開栓動作が行われ、それに続く操作部１１に対する一の押圧操作により閉栓動作が行われる所謂プッシュプッシュ式の開閉動作を実現している。
【００５８】
図１０（ａ）に示すように、このガイド溝２２において、回転誘導部２２ａ、２２ｂの開き位置側の端部が、ねじりコイルバネ１５の軸線Ｘ周りの付勢力に抗する回転方向において係止部２２ｃより回転奥側（例えば図１０（ａ）において左側）に位置する。回転誘導部２２ａ、２２ｂの開き位置側の端部から係止部２２ｃにかけて、ガイド溝２２がコイルバネ２４の軸線Ｘに沿った付勢方向側（即ち上方側）に膨出してなる膨出部２２ｄが形成されている。
よって、ガイドピン１８が、その膨出部２２ｄを介して、回転誘導部２２ａ、２２ｂの開き位置側の端部から係止部２２ｃに向けてガイド溝２２の上辺に沿って直接的に移動可能となり、係止部２２ｃに適切に係止されるようになる。尚、この膨出部２２ｄの形状等は適宜変更可能であり、また、膨出部２２ｄを省略して、開き位置側回転誘導部２２ｂの途中に上方に切れ込む係止部２２ｃを形成し、開き位置側の端部にガイドピン１８がある状態で操作部１１に付加する押圧力ｆ１１を取り除いたときに、ガイドピン１８が開き位置側回転誘導部２２ｂを若干逆行しその途中にある係止部２２ｃに係止されるように構成しても構わない。
【００５９】
この回転誘導部２２ａ、２２ｂは、軸線Ｘ周りの方向において係止部２２ｃよりも開き位置側に配置された開き位置側回転誘導部２２ｂと係止部２２ｃよりも閉じ位置側に配置された閉じ位置側回転誘導部２２ａとからなる。
更に、ガス流入路１Ａの軸線Ｘの直交面をＳとすると、開き位置側回転誘導部２２ｂにおける直交面Ｓに対するガイド溝２２のリード角αｂが、閉じ位置側回転誘導部２２ａの同リード角αａよりも小さく設定されている。
即ち、開栓動作において、操作部１１に押圧力が付加され回転誘導部２２ａ、２２ｂに沿って誘導されるガイドピン１８は、閉じ位置側から係止部２２ｃが形成された位置までの間は閉じ位置側回転誘導部２２ａに沿って変位し、その係止部２２ｃが形成された位置からそれよりも回転奥側に形成された開き位置側の端部までの間は開き位置側回転誘導部２２ｂに沿って変位することになる。
そして、開き位置側回転誘導部２２ｂのリード角αｂが、閉じ位置側回転誘導部２２ａのリード角αａよりも小さいので、ねじりコイルバネ１５の付勢力に抗してガイドピン１８を開き位置側回転誘導部２２ｂに沿って変位させるために必要な操作部１１に対する押圧力は、閉じ位置側回転誘導部２２ａに沿って変位させるときよりも大きくなる。
以下、ガイド溝２２の詳細構成について、本実施形態のガス栓の開閉動作時におけるガイド溝２２におけるガイドピン１８の遷移状態とあわせて、図１０及び図１１等に基づいて説明する。尚、図１０及び図１１において、ガイド溝２２は、筒状部材２１の外周面を平面に展開したときの状態で示されている。
【００６０】
〔開栓動作時〕
先ず、本実施形態のガス栓の開栓動作時のガイド溝２２におけるガイドピン１８の位置の遷移状態について、図１０等に基づいて説明する。
スライド弁Ｇ'が閉じ位置にあって閉栓しているとき（図５参照）には、ガイドピン１８は、図１０（ａ）に示すように、ガイド溝２２において回転誘導部２２ａの閉じ位置側の端部（図１０（ａ）において右上端部）に位置している。
次に、操作部１１に押圧力ｆ１１を付加し、その押圧力ｆ１１がスライド部Ｃに伝達されると、スライド部Ｃに設けられたガイドピン１８は、図１０（ｂ）に示すように、ガイド溝２２において閉じ位置側回転誘導部２２ａと開き位置側回転誘導部２２ｂとの境界部に移動する。
この移動の際に、ガイドピン１８は、コイルバネ２４による軸線Ｘに沿った開き位置側から閉じ位置側へ向かう上向きの付勢力ｆｄに抗して閉じ位置側から開き位置側へ向かう下向きに変位すると共に、ねじりコイルバネ１５による軸線Ｘ周りの方向への付勢力ｆｅに抗して回転することになる。
即ち、閉じ位置側回転誘導部２２ａと開き位置側回転誘導部２２ｂとの境界部に位置するガイドピン１８には、図１０（ｂ）において、上向きの付勢力ｆｄと右向きの付勢力ｆｅとが付加された状態となっている。
【００６１】
更に、操作部１１に比較的大きい押圧力ｆ１１を付加すると、ガイドピン１８は、図１０（ｃ）に示すように、ガイド溝２２において開き位置側回転誘導部２２ｂの回転奥側（図１０（ｃ）の左側）の端部に移動し、それに伴ってスライド弁Ｇ'は開き位置（図８参照）に変位する。
この移動の際においても、ガイドピン１８は、コイルバネ２４による上向きの付勢力ｆｄとねじりコイルバネ１５による右向きの付勢力ｆｅに抗して左下方向に移動することになり、移動後のガイドピン１８には、上向きの付勢力ｆｄと右向きの付勢力ｆｅとが付加された状態となっている。
尚、これら付勢力ｆｄ、ｆｅは、ガイドピン１８の左下方向への変位量が増加するに伴って増加するが、説明を簡単にするためにそれらの符号は同じものを使用する。
【００６２】
次に、上記のように操作部１１に対して付加していた押圧力ｆ１１を取り除くと、図１０（ｄ）に示すように、コイルバネ２４による上向きの付勢力ｆｄとねじりコイルバネ１５による右向きの付勢力ｆｅによって、ガイドピン１８は、膨出部２２ｄに沿って右上方向にある係止部２２ｃに当接する位置まで移動する。
そして、係止部２２ｃのガイドピン１８が当接する壁面の角度が、付勢力ｆｄ、ｆｅの合力が付加されているガイドピン１８が回転誘導部２２ａ、２２ｂ側に変位することを防止する角度に設定されているので、当該ガイドピン１８の位置は係止部２２ｃに係止された状態で保たれることになり、結果、図９に示すように、スライド弁Ｇ'が開き位置で維持されて、開栓動作が完了する。
【００６３】
〔閉栓動作時〕
次に、本実施形態のガス栓の閉栓動作時のガイド溝２２におけるガイドピン１８の位置の遷移状態について、図１１等に基づいて説明する。
スライド弁Ｇ'が開き位置にあって開栓しているとき（図９参照）には、ガイドピン１８は、図１１（ａ）に示すように、係止部２２ｃに係止される位置にある。
次に、操作部１１に比較的小さな押圧力ｆ１１'を付加し、その押圧力ｆ１１'がスライド部Ｃに伝達されると、スライド部Ｃに設けられたガイドピン１８は、図１１（ｂ）に示すように、付勢力ｆｄ、ｆｅに抗して左下向きに若干変位することで、係止部２２ｃにおける係止が解除された位置に変位する。
この際に、操作部１１に付加される押圧力ｆ１１'は、上述した開栓動作時に付加した押圧力ｆ１１よりも小さなものとなっているため、ガイドピン１８は、例えば開き位置側回転誘導部２２ｂに沿って開き位置側に変位することはない。
更に、開き位置側回転誘導部２２ｂのリード角αｂが閉じ位置側回転誘導部２２ａのリード角αａよりも小さく、ねじりコイルバネ１５の付勢力ｆｅに抗してガイドピン１８を開き位置側回転誘導部２２ｂに沿って開き位置側へ変位させるためには比較的大きな押圧力が必要となるので、その押圧力よりも小さな押圧力ｆ１１'で操作部１１を押圧した場合には、ガイドピン１８が開き位置側回転誘導部２２ｂに沿って回転奥側に変位することはない。
【００６４】
次に、上記のように操作部１１に対し付加されていた押圧力ｆ１１'を取り除くと、図１１（ｃ）に示すように、コイルバネ２４による上向きの付勢力ｆｄとねじりコイルバネ１５による右向きの付勢力ｆｅによって、ガイドピン１８は、閉じ位置側回転誘導部２２ａに沿って右上方向に移動し、結果、図５に示すように、それに伴ってスライド弁Ｇ'が開き位置から閉じ位置まで変位して、閉栓動作が完了する。
尚、本実施形態では、ガイド溝２２の回転誘導部を閉じ位置側回転誘導部２２ａと開き位置側回転誘導部２２ｂとで構成したが、当該回転誘導部を一様のもので構成しても構わない。また、回転誘導部２２ａ、２２ｂのリード角αａ、αｂについては、一様のものとせずに、例えば閉じ位置側から開き位置側にかけて徐々に減少させるなど、適宜改変可能である。
【００６５】
〔リセット手段〕
本実施形態のガス栓は、一定以上の流量のガスｇが流れると当該ガス供給を遮断するために、図５に示すように、特定ガス流通路としてのガス流入路１Ａに過流出防止機構Ｈが設けられると共に、当該過流出防止機構Ｈが作動状態となった場合にそれをリセットするリセット手段Ｒが設けられている。
ここで、リセット手段Ｒの構成は、第１実施形態と実質的に同じであるので、詳細な説明は割愛するが、その動作について、図５〜９に基づいて説明する。
リセット手段Ｒは、スライド弁Ｇ’の上流側の接続部Ｒａに接続されると共に、過流出防止機構Ｈの被操作部材Ｈ３に当接してリセット操作を行う押圧操作部位Ｒ２を有する帯状部材Ｒ１から構成されている。
図操作機構部Ｂの操作部１１が押圧操作され、スライド弁Ｇ’が開き位置に位置し、帯状部材Ｒ１が操作解除姿勢にあるときで、特定ガス流通路１Ａ，１Ｂにガスｇが流通可能な状態である場合に、一定以上の流量のガスｇが流れると、過流出防止弁Ｈ２が作動位置（図９に示す位置）に位置することとなる。
ここで、再度、操作機構部Ｂの操作部１１が押圧操作されると、スライド弁Ｇ’が開き位置から閉じ位置へと移動（図９から図５への移動）すると共に、帯状部材Ｒ１に引張り力が付与され操作解除姿勢から操作姿勢へ変更となり、帯状部材Ｒ１の押圧操作部位Ｒ２が過流出防止弁Ｈ２の被操作部材Ｈ３に当接し、リセット操作が行われる。
【００６６】
＜第３実施形態＞
当該第３実施形態は、上記第２実施形態に対し、リセット手段Ｒとしての帯状部材Ｒ１の構成が異なる。そこで、以下では、特に帯状部材Ｒ１について、図１２〜１４に基づいて説明し、その他の構成については、その説明を割愛することがある。
当該第３実施形態において、過流出防止弁Ｈ２が作動位置（図１３に示す位置）にある状態で、帯状部材Ｒ１には、ガス流入路１Ａの上流側への押圧力が付与された場合に、ガス流入路Ｒ１の軸径方向で外側から軸心側へ移動（図１２から図１４への移動）して、過流出防止弁Ｈ２の被操作部材Ｈ３に当接してリセット操作を行うと共に、ガス流入路Ｒ１の下流側への引張り力が付与された場合に、ガス流入路Ｒ１の軸径方向で軸心側から外側へ移動（図１４から図１２への移動）して、被操作部材Ｈ３から離間してリセット操作を解除するその押圧操作部位Ｒ２が設けられている。
説明を追加すると、当該第３実施形態にあっては、図１２に示すように、スライド弁Ｇ’の接続部Ｒａから過流出防止弁Ｈ２の被操作部材Ｈ３側へ延びる状態で複数の帯状部材Ｒ１（当該実施形態では２つ）が設けられており、当該帯状部材Ｒ１の被操作部材Ｈ３側の端部に複数の押圧操作部位Ｒ２（当該実施形態では２つ）が設けられている。
そして、帯状部材Ｒ１に押圧力が加えられた場合には、押圧操作部位Ｒ２がガス流入路１Ａの軸径方向で外側から軸心側へ移動（図１２から図１４への移動）して、被操作部材Ｈ３に当接する共に、帯状部材Ｒ１に引張り力が加えられた場合には、押圧操作部位Ｒ２がガス流入路１Ａの軸径方向で軸心側から外側へ移動（図１４から図１２への移動）して、被操作部材Ｈ３から離間する。
【００６７】
＜別実施形態＞
（１）第１、第２実施形態では、複数の流路部位における中心軸を同一として、ガス流通路１を一直線状に設けているが、例えば、図４に示すように、ガス流通路１の上流側部位（第１流路部位１ａおよび第２流路部位１ｂ）における中心軸とガス流通路１の下流側部位（第３〜第７流路部位１ｃ〜１ｇ）における中心軸とを流路径方向にずらした直線状のガス流通路１を形成することもできる。このように、ガス流通路１をガス栓本体２の軸方向に沿う直線状に設けるとは、第１、第２実施形態の如く、一直線とするものに限らず、図４に示すように、流路径方向にずらしたものも含まれるものとする。
そして、図４に示すものでも、第１、第２実施形態と同様に、リセット手段の構成の簡素化及び部材点数の減少を図りつつ、リセット手段によるリセット操作及びリセット操作の解除についても適切に行うことができる。
【００６８】
（２）
上記第３実施形態においては、帯状部材Ｒ３とその押圧操作部位Ｒ２は、２つ設ける例を示したが、別に、１つであっても構わないし、３つ以上の複数設けてあっても構わない。
【００６９】
（３）これまで説明した実施形態では、スライド弁Ｇの外面がガス流通路１の内面に着座してガス流通路１を閉止する例を示したが、例えば、ガス流通路１の内面にシール部材を設け、当該シール部材にスライド弁Ｇが着座する形態で、ガス流通路１を閉止するようにしても構わない。
【産業上の利用可能性】
【００７０】
以上説明したように、リセット手段の構成の簡素化及び部材点数の減少を図り、リセット手段によるリセット操作及びリセット操作の解除を適切に行うことができるガス栓を提供することができる。
【符号の説明】
【００７１】
１      ガス流通路
１ｃａ  内周面（案内壁部）
１ｃｂ  上流側側面（案内壁部）
２      ガス栓本体
Ｇ      スライド弁
Ｇ１    第１弁体（押圧力・引張り力付与部材）
Ｈ２    過流出防止弁
Ｈ３    被操作部材（被操作部）
Ｒ      リセット手段
Ｒ１    帯状部材
Ｒ２    押圧操作部位
【図１】
0005836168.tif 000002
【図２】
0005836168.tif 000003
【図３】
0005836168.tif 000004
【図４】
0005836168.tif 000005
【図５】
0005836168.tif 000006
【図６】
0005836168.tif 000007
【図７】
0005836168.tif 000008
【図８】
0005836168.tif 000009
【図９】
0005836168.tif 000010
【図１０】
0005836168.tif 000011
【図１１】
0005836168.tif 000012
【図１２】
0005836168.tif 000013
【図１３】
0005836168.tif 000014
【図１４】
0005836168.tif 000015
【図１５】
0005836168.tif 000016